(57)【要約】【課題】安価にスプリンクラ消火設備を構築する。またスケルトンインフィルに対応して、住戸がどこに設置されても、それに合わせてスプリンクラ配管を設置する。【解決手段】ループ配管１を備えたスプリンクラ消火設備において、該ループ配管の基端側に予作動弁３を設け、前記ループ配管から住戸毎に分岐する分岐配管７を設け、該分岐配管にスプリンクラヘッド９を接続した。住戸に火災感知器１１を設置し、該火災感知器が火災を検知した時、前記予作動弁３を開放させる。またループ配管と前記分岐配管の接続部分に、可動式管継手２０を設けた。【選択図】  図１
2004298522.tif 000002
【特許請求の範囲】
【請求項１】
ループ配管を備えたスプリンクラ消火設備において、該ループ配管の基端側に予作動弁を設け、前記ループ配管から住戸毎に分岐する分岐配管を設け、該分岐配管にスプリンクラヘッドを接続したことを特徴とするスプリンクラ消火設備。
【請求項２】
前記住戸に火災感知器を設置し、該火災感知器が火災を検知した時、前記予作動弁を開放させることを特徴とする請求項１記載のスプリンクラ消火設備。
【請求項３】
前記ループ配管と前記分岐配管の接続部分に、可動式管継手を設けたことを特徴とする請求項１又は請求項２記載のスプリンクラ消火設備。
【発明の詳細な説明】
【０００１】
【発明の属する技術分野】
この発明は、スプリンクラ消火設備に関するもので、特に集合住宅に設けられる予作動式のスプリンクラ消火設備に関するものである。
【０００２】
【従来の技術】
従来、集合住宅向けのスプリンクラ消火設備として特許文献１に開示されているものがある。このスプリンクラ消火設備は、各住戸毎に予作動弁を設け、住戸内の火災感知器が動作した時に、その住戸の予作動弁を開放するようにした設備である。
【０００３】
【特許文献１】
特開平６−１０５９２８号公報
【０００４】
【発明が解決しようとする課題】
この従来のスプリンクラ消火設備では、住戸毎に予作動弁を設けているため、設備コストが嵩む。また近年、スケルトンインフィルという住戸の間取りが自由に変更可能なマンションの開発が行われているが、従来のスプリンクラ消火設備には、このスケルトンインフィルに対応したものはなかった。
【０００５】
【課題を解決するための手段】
本発明は、以上の問題点を解決するためになされたものであり、ループ配管を備えたスプリンクラ消火設備において、該ループ配管の基端側に予作動弁を設け、前記ループ配管から住戸毎に分岐する分岐配管を設け、該分岐配管にスプリンクラヘッドを接続したことを特徴とするものである。
【０００６】
【発明の実施の形態】
図１は本実施形態のスプリンクラ消火設備の系統図である。図１において、Ｍは集合住宅としてのマンションであり、２つのフロアを断面で示している。１は各階毎に設けられたループ配管である。ループ配管１は、共用廊下上に位置するように設けられ、、言い換えれば各住戸の玄関先を通るように設けられている。これにより、住戸の玄関がどこに設置されても住戸内へ分岐配管を引き込みやすくしてある。またループ配管１の内側には、エレベータシャフトなどが設けられる。
【０００７】
３はループ配管１の基端側に設けた、常時は閉じた予作動弁である。各階に設けた予作動弁３の一次側は給水本管５に接続され、また給水本管１の基端側は、図示しないポンプ及び水槽などの給水源に接続されている。この予作動弁３は、後述する火災感知器が火災を検知した時に、開放されるものである。また予作動弁３は流水検知機能を有しており、開放する際に、水の流れを検知して流水信号を制御盤１５に出力する。
【０００８】
７は住戸内に設置される分岐配管で、ループ配管１から住戸毎に分岐して設けられる。分岐配管７には、複数のスプリンクラヘッド９が接続されている。この分岐配管７及びループ配管１内には、常時水が充水された湿式設備で構成されている。なお、放水遅れの恐れがない場合には、充水しない乾式消火設備としてもよい。
【０００９】
１１は住戸に設置した火災感知器である。火災感知器１１は火災を検知すると、火災受信機１３にフロア情報を含んだ火災信号を出力する。なおより具体的に言えば、火災感知器１１は住戸番号を含んだ火災信号を出力する。１３は火災受信機で、火災信号を受信した時に、火災警報を行うと共に、制御盤１５にその火災信号を移報し、どの階のどの住戸で火災が発生したのかを伝える。
【００１０】
続いて、図２を用いて可動式管継手について説明する。本実施形態においては、ループ配管１と分岐配管７との接続部分には、可動式管継手２０が設けられる。この可動式管継手２０は上下方向からループ配管１を挟みこむようにして、ループ配管１に取り付けられる。ループ配管１に取り付ける際には、事前にループ配管１に接続口をあけておき、その接続口に分岐配管７を接続し、その状態で、上下からループ配管１を挟み込むようにして可動式管継手を取り付け、ねじ止めする。
【００１１】
このようにループ配管１を使用して、可動式管継手２０を上下から挟み込んで取り付けることで、可動式管継手２０は、ループ配管１のどこにでも簡単に接続できるように構成される。このため住戸への分岐配管をループ配管１のどこからでも引き出せるので、スケルトンインフィルに対応して、住戸がどこに設置されても、それに合わせてスプリンクラ配管を設置することが可能となる。なお、図２においては、分岐配管７は複数の接続口７ｃを有するヘッダから構成され、この接続口７ｃとスプリンクラヘッド９とを図示しない樹脂管などで接続している。
【００１２】
このスプリンクラ消火設備において、住戸で火災が発生した場合の動作について説明する。住戸で火災が発生すると、火災感知器１１が火災を検知して火災受信機１３に火災信号を出力する。火災受信機１３ではどの階のどの住戸で火災が発生したかを警報すると共に、火災信号を制御盤１５に移報する。
【００１３】
制御盤１５は、火災が発生した階の予作動弁３を開放すると共に、図示しないポンプを起動する。なおポンプの起動に関しては、通常のスプリンクラ消火設備のように、圧力空気槽を設けて給水本管内が減圧した時に、ポンプを起動させてもよい。こうして給水源から給水本管５を介して予作動弁３へと給水される。また住戸のスプリンクラヘッド９が火災時の熱により開放すると、ループ配管１内の水が放水され、予作動弁３は制御盤に流水信号を出力する。そしてスプリンクラヘッド９から継続して放水が行われ火災を消火する。
る。
【００１４】
【発明の効果】
本発明は、以上にように構成され、ループ配管を備えたスプリンクラ消火設備において、ループ配管の基端側に予作動弁を設けたので、住戸毎に予作動弁を設ける場合に比べ安価にスプリンクラ消火設備を構築することができる。
【００１５】
またループ配管と分岐配管の接続部分に、可動式管継手を設けたので、ループ配管１のどこからでも住戸への分岐配管を引き出すことができる。よってスケルトンインフィルに対応して、住戸がどこに設置されても、それに合わせてスプリンクラの配管を設置することが可能となる。
【図面の簡単な説明】
【図１】本発明の消火設備の系統図である。
【図２】本発明の可動式管継手の一例を示す斜視図である。
【符号の説明】
１  ループ配管、  ３  予作動弁、  ５  給水本管、  ７  分岐配管、
９  スプリンクラヘッド、  １１  火災感知器、  １３  火災受信機、
１５  制御盤、  ２０  可動式管継手、
【図１】
2004298522.tif 000003
【図２】
2004298522.tif 000004